(57)【要約】      （修正有）【課題】グレードやバリエーションにより意匠が変更された場合においても、配線基板の共通化を実現し、コストダウンを達成することが可能なコンビネーションメータを提供する。【解決手段】文字板４０は、バーグラフを表示するバーグラフ意匠表示部と、インジケータを表示するインジケータ意匠表示部とを有し、配線基板は、一方の指針ムーブメント２２近傍にバーグラフ意匠表示部を照明する複数の第２光源６２２と、他方の指針ムーブメント３２近傍上にインジケータ意匠表示部を照明する複数の第１光源６２１と、を有し、第１光源６２１と第２光源６２２を、千鳥状の同一配置とする。【選択図】図２
2014228510.tif 000002
【特許請求の範囲】
【請求項１】
配線基板と、
前記配線基板に電気接続される少なくとも２以上の指針ムーブメントと、
これら指針ムーブメントの各々に設けられた回転軸によって駆動される複数の指針と、
これら各指針に対応する複数の意匠表示部が形成される文字板と、を備えるコンビネーションメータであって、
前記文字板は、バーグラフを表示するバーグラフ意匠表示部と、インジケータを表示するインジケータ意匠表示部とを有し、
前記配線基板は、一方の前記指針ムーブメント近傍に前記インジケータ意匠表示部を照明する複数の第１光源と、他方の前記指針ムーブメント近傍に前記バーグラフ意匠表示部を照明する複数の第２光源と、を有し、前記第１光源と前記第２光源は、千鳥状の同一配置とされることを特徴とするコンビネーションメータ。
【請求項２】
前記配線基板は、前記インジケータ意匠表示部が配設される配線基板と、前記バーグラフ意匠表示部が配設される配線基板と、を有することを特徴とする請求項１に記載のコンビネーションメータ。
【発明の詳細な説明】
【技術分野】
【０００１】
本発明は、例えば自動車、オートバイ、船舶、農建機、航空機に代表される各種乗物に搭載されるコンビネーションメータに関する。
【背景技術】
【０００２】
例えば、自動車のインストルメントパネルには、様々な種類の計測値を指針式表示する複数の表示部を一つの統合ユニットにまとめたコンビネーションメータ（複合計器）が搭載されている。
【０００３】
このようなコンビネーションメータは、各表示部を駆動制御する配線基板と、これら配線基板に搭載される複数の指針ムーブメントや光源と、指針ムーブメントの各々に設けられた回転軸によって駆動される複数の指針と、これら各指針に対応する複数の意匠表示部（指標部など）が形成され、これら指標部と各指針とで指針式表示部（例えば、速度計表示部、エンジン回転計表示部、水温計表示部、燃料計表示部），及び車両の特定状態を示す意匠表示部によりインジケータ表示部を形成する文字板と、文字板と配線基板との間に配設され、光源からの光を効率よく照明対象（意匠表示部）に伝達するように、該光源を区画する中ケースと、これら各構成部品を収納するケース体と、このケース体と組み合わされて各表示部を露出し、それ以外の所要部を隠蔽する見返し部材と、その前方に配置され、各表示部（指針式表示部やインジケータ表示部）を透視可能とする透明カバーとで構成されている。
【先行技術文献】
【特許文献】
【０００４】
【特許文献１】特開２０１２−６２０３４号公報
【発明の概要】
【発明が解決しようとする課題】
【０００５】
ところで、この種のコンビネーションメータにおいては、例えば自動車の特定車種（搭載対象）のグレード展開あるいはその種別バリエーションに応じて、指針式表示部の配置やインジケータ表示部の配置が異なる場合がある。例えば、第１のバリエーションでは、速度計表示部及びインジケータ表示部が向かって左側に配設し、エンジン回転計表示部が右側に配設するのに対し、第２のバリエーションでは、エンジン回転計表示部が向かって左側に配設し、速度計表示部及びインジケータ表示部が右側に配設することがある。これに応じて、文字板に形成される意匠表示部の配置が変わり、さらに意匠表示部の配置変更に基づき、光源の位置（配線基板）及び該光源を区画する中ケースの変更が必要とされ、新規部品が増加し、コストが嵩むおそれがあった。
【０００６】
そこで、本発明は、このような従来の技術における問題点に鑑みてなされたものであって、グレードやバリエーションにより意匠が変更された場合においても、配線基板の共通化を実現し、コストダウンを達成することが可能なコンビネーションメータを提供することを目的とするものである。
【課題を解決するための手段】
【０００７】
本発明は、配線基板と、前記配線基板に電気接続される少なくとも２以上の指針ムーブメントと、これら指針ムーブメントの各々に設けられた回転軸によって駆動される複数の指針と、これら各指針に対応する複数の意匠表示部が形成される文字板と、を備えるコンビネーションメータであって、前記文字板は、バーグラフを表示するバーグラフ意匠表示部と、インジケータを表示するインジケータ意匠表示部とを有し、前記配線基板は、一方の前記指針ムーブメント近傍に前記インジケータ意匠表示部を照明する複数の第１光源と、他方の前記指針ムーブメント近傍に前記バーグラフ意匠表示部を照明する複数の第２光源と、を有し、前記第１光源と前記第２光源は、千鳥状の同一配置とされるものである。
【発明の効果】
【０００８】
本発明によれば、グレードやバリエーションにより意匠が変更された場合においても、配線基板の共通化を実現し、コストダウンを達成することが可能なコンビネーションメータを提供できる。
【図面の簡単な説明】
【０００９】
【図１】本発明の実施形態におけるコンビネーションメータの正面図。
【図２】図１のＡ−Ａ断面図。
【図３】上記実施形態における第２照明室を説明する図である。
【図４】本発明の実施形態におけるコンビネーションメータの光源配置の変形例を示す図である。
【発明を実施するための形態】
【００１０】
以下、図１〜３に基づいて本発明のコンビネーションメータを、自動車に搭載されるコンビネーションメータに適用した場合を例に挙げて説明する。図１は、本実施形態におけるコンビネーションメータの正面図であり、図２は、コンビネーションメータの断面図であり、図１のＡ−Ａ断面図である。図３は、後述する第２照明室５１２を説明する図である。
【００１１】
図１、及び図２において、コンビネーションメータ１は、自動車の運転席前方のインスツルメントパネル内に配置され、各種車両情報を表示するものであり、自車両の速度を表示する速度計表示部（第１指針式表示部）２と、エンジン回転数を表示するエンジン回転計表示部（第２指針式表示部）３と、自車両の各種状態を表示するインジケータ表示部（第１光輝表示部）４と、残燃料量をバーグラフ表示するバーグラフ表示部（第２光輝表示部）５とを含み、例えば樹脂製のケース（上ケース１１、下ケース１５）内に、文字板４０と、中ケース５０と、プリント基板からなる配線基板６０等を収納している。配線基板６０は、例えば、ガラスエポキシ基板等から形成され、外部コネクタ６１（図２）から車両情報を入力し、これらの車両情報を演算処理した結果を制御信号として出力して速度計表示部２，エンジン回転計表示部３，インジケータ表示部４，バーグラフ表示部５を制御する制御部６３を有し、コンビネーションメータ１の電気的な制御を行う。
【００１２】
なお、以下の説明では、コンビネーションメータ１の構成を理解しやすくするため、コンビネーションメータ１の視認者方向（図２の上方向）を前面側、その逆方向（図２の下方向）を背面側とする。
【００１３】
上ケース１１は、透光性の合成樹脂からなる透視カバー部材１２と、黒色などの遮光性の合成樹脂からなる見返し部材１３とから構成される。見返し部材１３は、その前面側を覆うように透視カバー部材１２が装着され、各種表示部（速度計表示部２，エンジン回転計表示部３）の前面側を覆うように後述する下ケース１５に取り外し可能に組み付けられる。
【００１４】
透視カバー部材１２は、外周部の適所に所定の間隔を配して複数個の係止部１２０が一体に設けられる。この係止部１２０は、透視カバー部材１２の外周部から一体に背面側に向けて突出する弾性腕片（図示しない）と、この弾性腕片の先端部に設けられた爪状のフック部（図示しない）とによって形成される。透視カバー部材１２は、一部の係止部１２０を、後述する見返し部材１３の係合部１３０に挿入することで、見返し部材１３の前面側に取り外し可能に係合し、その他の係止部１２０を、後述する下ケース１５の係合部１５０に挿入することで、下ケース１５の前面側に係合する。
【００１５】
見返し部材１３は、透視カバー部材１２に設けた係止部１２０のいくつかに対向する位置に、係止部１２０を受け入れるための枠状の係合部１３０を一体に設けるとともに、前記透視カバー部材１２と同様に、見返し部材１３の外周部の適所に弾性腕片１３１ａとフック部１３１ｂとからなる係止部１３１が所定の間隔を配して一体に設けられている。見返し部材１３は、このフック部１３１ｂを、後述する下ケース１５の係合部１５０に挿入することで、下ケース１５の前面側に取り外し可能に係合する。また、見返し部材１３は、内側に向かって延在する遮蔽部１３２を有し、この遮蔽部１３２は、速度計表示部２及びバーグラフ表示部５を視認可能とする開口部１３２ａと、エンジン回転計表示部３及びインジケータ表示部４を視認可能とする開口部１３２ｂと、を設ける。
【００１６】
下ケース１５は、透視カバー部材１２の係止部１２０、見返し部材１３の係止部１３１（弾性腕片１３１ａとフック部１３１ｂ）、をそれぞれ受け入れるために外周部箇所に枠状からなる係合部１５０と、下ケース１５の底面部分から前面側（配線基板６０の方向）に向けて突出する載置部１５１と、を設ける。
【００１７】
速度計表示部（第１指針式表示部）２及びエンジン回転計表示部（第２指針式表示部）３は、後述する文字板４０の前面側に配設される発光制御可能な指針２１，３１と、この指針２１，３１を回動させる文字板４０の背面側に位置する配線基板６０に実装された指針ムーブメント２２，３２と、この指針ムーブメント２２，３２から指針２１，３１へ文字板４０の指針穴（図示しない）を挿通し、先端に指針２１，３１を装着する棒状のシャフト２２ａ，３２ａと、を備え、制御部６３（配線基板６０）からの制御信号により指針ムーブメント２２，３２が駆動し、指針２１，３１を所定の位置まで回動させ、後述する文字板４０の指標部（目盛りや数字等の意匠表示部）４１１，４１２を指示する。
【００１８】
文字板４０は、視認者に対して所定の意匠を表示する意匠表示部４１を有し、母材となるポリカーボネートなどの透光性の樹脂材料からなる透光性基板４２と、この透光性基板４２の表面に意匠表示部４１を切り欠いて黒色の遮光層で印刷形成される不透過部４３と、により形成される。
意匠表示部４１は、後述する配線基板６０に実装される光源６２から出射される光を透過することで所定の意匠を表示するものであり、速度計表示部２及びエンジン回転計表示部３において指針２１，３１が指示する目盛りや数字を表示する指標部４１１，４１２と、インジケータ表示部４において所定の記号やキャラクタを表示するインジケータ意匠表示部（第１光輝表示部）４１３と、バーグラフ表示部５において所定のバーグラフを表示するバーグラフ意匠表示部（第２光輝表示部）４１４と、を有する。
【００１９】
中ケース５０は、文字板４０と後述する配線基板６０との間に配設され、文字板４０を保持する保持体として機能する。また、中ケース５０は、白色系の合成樹脂により形成され、後述する光源６２を収納しそれらが発する光を文字板４０の各意匠表示部４１（指標部４１１，４１２，インジケータ意匠表示部４１３，バーグラフ意匠表示部４１４）に案内する照明室５１をそれぞれ有する。
具体的には、中ケース５０は、速度計表示部２の背面側に配設される光源（図示しない）を収納しそれらが発する光を文字板４０の指標部４１１に案内する照明室（図示しない）と、エンジン回転計表示部３の背面側に配設される光源（図示しない）を収納しそれらが発する光を文字板４０の指標部４１２に案内する照明室（図示しない）と、インジケータ表示部４の背面側に配設される第１光源６２１を収納しそれらが発する光を文字板４０のインジケータ意匠表示部４１３に案内する第１照明室５１１と、バーグラフ表示部５の背面側に配設される第２光源６２２を収納しそれらが発する光を文字板４０のバーグラフ意匠表示部４１４に案内する第２照明室５１２と、を有する。
【００２０】
第１照明室５１１は、前面側と背面側が貫通した中空矩形形状であり、背面側に配線基板６０が当接し、前面側に文字板４０が当接することによって、文字板４０と中ケース５０と配線基板６０とで第１光源６２１を区画する空隙を形成する。また、第１照明室５１１は、後述する千鳥状に配設される第１光源６２１に合わせて千鳥状に配設される。
【００２１】
第２照明室５１２は、前面側と背面側が貫通する図３に示すような中空形状であり、背面側に配線基板６０が当接し、前面側に文字板４０が当接することによって、文字板４０と中ケース５０と配線基板６０とで第２光源６２２を区画する空隙を形成する。第２照明室５１２は、隣り合った第２照明室５１２との間に設けられる側壁５１２ａと、第３光源６２２の前面側に対向する曲面状の第１反射壁５１２ｂと、第１反射壁５１２ｂに対向する曲面状の第２反射壁５１２ｃと、を有し、これら第１反射壁５１２ｂ及び第２反射壁５１２ｃにより効率よく均一にバーグラフ意匠表示部４１４を照明する。また、第２照明室５１２は、後述する千鳥状に配設される第２光源６２２に合わせて鋸歯状に配設される。
【００２２】
配線基板６０は、例えばガラスエポキシ系基材に配線パターンを施した硬質配線基板からなり、上述の指針ムーブメント２２，３２、外部コネクタ６１、光源６２、制御部６３などを実装する。配線基板６０の背面側には、上述の下ケース１５の載置部１５１が当接し、ネジやフックなどの固定手段により下ケース１５（載置部１５１）に固定される。
【００２３】
外部コネクタ６１は、車両側の配線に接続され、車両側からこの外部コネクタ６１を介してコンビネーションメータ１を動作させる電力や車両情報などが供給される。
【００２４】
光源６２は、速度計表示部２の背面側に配設される光源（図示しない）、エンジン回転計表示部３の背面側に配設される光源（図示しない）、インジケータ表示部４の背面側に配設される複数の第１光源６２１、バーグラフ表示部５の背面側に配設される複数の第２光源６２２、であり、制御部６３の制御により点灯消灯する。
また、第１光源６２１と第２光源６２２は、それぞれ指針ムーブメント２２と指針ムーブメント３２の近傍に千鳥状に同一配置になるように実装される。
【００２５】
制御部６３は、例えば、第１指針式表示部２，第２指針式表示部３それぞれを、速度表示、エンジン回転表示、水温表示、残燃料表示など様々な表示部として制御できる複数のプログラムやこれらプログラムに従って指針ムーブメント２２，３２を駆動するＰＷＭドライバ等を含むマイクロコンピュータからなり、コンビネーションメータ１に適用される指針式表示部の種類に応じて指針ムーブメント２２，３２を駆動制御できるように設定されており、指針式表示部の種類に応じて適用されるプログラムの切り替えは、所定の切換手段または判別手段に基づいて行われる。
また、制御部６３は、光源６２を制御するプログラムも複数記憶しており、例えば、上述したインジケータ表示部として機能する第１光輝表示部３を照明する第１光源６２１を、残燃料量を表示するバーグラフ表示させるように制御可能であり、また、バーグラフ表示部として機能する第２光輝表示部４を照明する第２光源６２２を、各種車両からの警報情報などに基づき点灯させるインジケータ表示させるように制御可能である。
【００２６】
以上の構成により、本発明のコンビネーションメータは、配線基板６０と、前記配線基板６０に電気接続される少なくとも２以上の指針ムーブメント２２，３２と、これら指針ムーブメント２２，３２の各々に設けられたシャフト２２ａ，３２ａによって駆動される複数の指針２１，３１と、これら各指針２１，３１に対応する複数の意匠表示部（指標部）４１１，４１２が形成される文字板４０と、を備えるコンビネーションメータであって、前記文字板４０は、バーグラフを表示するバーグラフ意匠表示部４１４と、インジケータを表示するインジケータ意匠表示部４１３とを有し、前記配線基板６０は、一方の前記指針ムーブメント２２（３２）近傍に前記バーグラフ意匠表示部４１４を照明する複数の第２光源６２２と、他方の前記指針ムーブメント３２（２２）近傍上に前記インジケータ意匠表示部４１３を照明する複数の第１光源６２１と、を有し、前記第１光源６２１と前記第２光源６２２は、千鳥状の同一配置とされるものであり、斯かる構成により、グレードやバリエーションにより意匠が変更された場合においても、配線基板の共通化を実現し、コストダウンを達成することができる。
【００２７】
なお、本発明は以上の実施形態及び図面によって限定されるものではない。本発明の要旨を変更しない範囲で、適宜、変更（構成要素の削除も含む）を加えることが可能である。以下に変形例の一例を示す。
【００２８】
上記実施形態において、配線基板６０は、第１指針式表示部２と第２指針式表示部３と第１光輝表示部４と第２光輝表示部５とを１枚の基板として記載していたが、第１指針式表示部２と第１光輝表示部４が実装される配線基板と、第２指針式表示部３と第２光輝表示部５が実装される配線基板とが分かれていてもよく、この場合、制御部６３を実装する配線基板をさらに別に設け、この制御部６３が実装された配線基板を、第１指針式表示部２が実装される配線基板及び第２指針式表示部３が実装される配線基板と配線する。
【００２９】
また、第１光輝表示部４及び第２光輝表示部５の共通した光源６２１（６２２）の配置は、図１に示した以外に、図４（ａ）に示すように、インジケータ意匠表示部４１３に案内する上段の第１照明室５１１と下段の第１照明室５１１とが隣接するように配置してもよく、図４（ｂ）に示すように、インジケータ意匠表示部４１３に案内する第１照明室５１１が隣の第１照明室５１１と隣接しないように配置してもよい。
【００３０】
また、上記実施形態において、第１光輝表示部４または第２光輝表示部５のいずれかがインジケータ表示部であり、他方がバーグラフ表示部であったが、コンビネーションメータ１のグレードやバリエーションにより、第１光輝表示部４及び第２光輝表示部５の双方が、インジケータ表示部もしくはバーグラフ表示部であってもよい。
【符号の説明】
【００３１】
１        コンビネーションメータ
２        速度計表示部（第１指針式表示部）
３        エンジン回転計表示部（第２指針式表示部）
４        インジケータ表示部（第１光輝表示部）
５        バーグラフ表示部（第２光輝表示部）
１１      上ケース
１２      透視カバー部材
１５      下ケース
４０      文字板
５０      中ケース
６０      配線基板
４１１    指標部
４１２    指標部
４１３    インジケータ意匠表示部
４１４    バーグラフ意匠表示部
５１１    第１照明室
５１２    第２照明室
６２１    第１光源
６２２    第２光源
【図１】
2014228510.tif 000003
【図２】
2014228510.tif 000004
【図３】
2014228510.tif 000005
【図４】
2014228510.tif 000006